(57)【要約】【課題】デザインに変化を与えることができる構成を備えた容器を提供する。【解決手段】有底で上方が開口状の円筒状本体１と該本体１の外周面に着脱自在に周設した装飾シート３とからなる容器であって、該本体１の上端縁には突出端縁１０が形成されており、該本体１の外周面には該突出端縁１０に隣接して上方リング状部材４が外嵌されており、該本体１の下端縁の外周面には下方リング状部材５が着脱自在に装着されており、該装飾シート３の上下端縁は、該上方リング状部材４と該本体１の外周面、該下方リング状部材５と該本体１の外周面との間に挟持される。【選択図】図２
2004352279.tif 000002
【特許請求の範囲】
【請求項１】
有底で上方が開口状の本体１と該本体１の外周面に着脱自在に周設した装飾シート３とからなる容器。
【請求項２】
請求項１に記載の容器において、該本体１は上下端縁を有しており、該端縁には該本体１の外周面より外方に突出する突出縁部１０，５が形成されており、該本体１の外周面には一方の突出縁部１０に隣接してシート止め部材４が着脱自在に外嵌されており、他方の突出縁部５は該本体１の端縁に対して着脱自在となっており、該装飾シート３の上下端縁は、該シート止め部材４と該本体１の外周面との間、該着脱自在の突出端縁５と該本体１の外周面との間に挟持されることを特徴とする容器。
【請求項３】
請求項１，２いずれかに記載の容器において、該本体１の外周面には縦方向に延出する突条６が形成されており、該突条６は断面視略Ｔ形状を有しており、該装飾シート３は該本体１の外周面に巻き付けるように装着され、該装飾シート３の幅方向の両側端縁は、該突条６と該本体１の外周面との間に挟持されることを特徴とする容器。
【請求項４】
請求項１，２いずれかに記載の容器において、該装飾シート３は該本体１の外周面に外嵌する形状を有する筒型シート３０であることを特徴とする容器。
【請求項５】
請求項１乃至４いずれかに記載の容器において、該容器は取っ手２を有しており、該取っ手２の上端は上端の突出縁部１０に連結されており、該取っ手２の下端は自由端であると共にその先端には係止部２２が形成されており、下端の突出縁部５には該係止部２２を受け入れる係止孔５１が形成されており、該取っ手２の下端の係止部２２は該下端突出縁部５の係止孔５１に係脱自在であることを特徴とする容器。
【請求項６】
有底で上方が開口状の円筒状本体１と該本体１の外周面に着脱自在に周設した装飾シート３とからなる容器であって、該本体１の上端縁には突出端縁１０が形成されており、該本体１の外周面には該突出端縁１０に隣接して上方リング状部材４が外嵌されており、該本体１の下端縁の外周面には下方リング状部材５が着脱自在に装着されており、該装飾シート３の上下端縁は、該上方リング状部材４と該本体１の外周面、該下方リング状部材５と該本体１の外周面との間に挟持されることを特徴とする容器。
【発明の詳細な説明】
【０００１】
【発明の属する技術分野】
本発明は装飾性に優れた容器に係り、好適には、マグカップ等のコップやペン立てに関するものである。
【０００２】
【従来の技術】
コップ等の容器には、その周面に図柄や文字等のデザインを有するものが存在する。しかしながら、従来のコップは、周面に直接図柄や文字が描かれているため、コップのデザインを変更することができなかった。したがって、コップのデザインに飽きてしまったような場合には、コップそのものを買い換える必要があった。
【０００３】
【発明が解決しようとする課題】
本発明はかかる従来の容器における問題点に鑑みて創案されたものであって、デザインに変化を与えることができる構成を備えた容器を提供することを目的とするものである。
【０００４】
【課題を解決するための手段】
かかる課題を解決するために本発明が採用した技術手段は、有底で上方が開口状の本体と該本体の外周面に着脱自在に周設した装飾シートとからなる容器である。容器は好適な例では、マグカップ等のコップである。
【０００５】
好ましくは、該本体は上下端縁を有しており、該端縁には該本体の外周面より外方に突出する突出縁部が形成されており、該本体の外周面には一方の突出縁部に隣接してシート止め部材が着脱自在に外嵌されており、他方の突出縁部は該本体の端縁に対して着脱自在となっており、該装飾シートの上下端縁は、該シート止め部材と該本体の外周面との間、該着脱自在の突出端縁と該本体の外周面との間に挟持される。実施の形態では、上端の突出端部が本体に対して固定であり、上端の突出端縁にシート止め部材が当接しており、下端の突出端部が本体に対して着脱自在となっているが、この逆でもよい。すなわち、下端の突出端部が本体に対して固定であり、下端の突出端縁にシート止め部材が当接しており、上端の突出端部が本体に対して着脱自在であってもよい。また、両方の突出端部が本体に対して着脱自在であってもよい。
【０００６】
好ましくは、該本体の外周面には縦方向に延出する突条が形成されており、該突条は断面視略Ｔ形状を有しており、該装飾シートは該本体の外周面に巻き付けるように装着され、該装飾シートの幅方向の側端縁は、該突条と該本体の外周面との間に挟持される。あるいは、該装飾シートは該本体の外周面に外嵌する形状を有する筒型シートであり、そのまま本体の外周面に外嵌させてもよい。
【０００７】
好ましくは、該容器は取っ手を有しており、該取っ手の上端は上端の突出縁部に連結されており、該取っ手の下端は自由端であると共にその先端には係止部が形成されており、下端の突出縁部には該係止部を受け入れる係止孔が形成されており、該取っ手の下端の係止部は該下端突出縁部の係止孔に係脱自在である。
【０００８】
本明細書において、「外周面」、「周面」という文言は必ずしも円周を意味するものに限定されないが、好適には、該本体は円筒状の周壁を備えており、該シート止め部材、該着脱自在の突出縁部はリング状部材である。
【０００９】
【発明の実施の形態】
本発明について好適な実施形態であるマグカップに基づいて説明する。図１はマグカップの完成図、図２はマグカップの組立分解図である。マグカップは、飲料物を収容する本体１と、本体１に一体的に設けた取っ手２と、本体１の外周面に着脱自在に装着された装飾シート３と、本体１の外周面に外嵌する上方リング状部材４と、本体１の外周面の下端部位に螺着する下方リング状部材５と、本体１の外周面上に上下方向に延出するように設けた突条６とを有する。上方リング状部材４は装飾シート３の上端側を押さえる機能を有し、下方リング状部材５は装飾シート３の下端側を押さえる機能を有する。
【００１０】
マグカップの本体１は、有底で上方が開口状の円筒状の形状を有する。本体１の外周面の上端の周縁には突出縁部１０が形成されており、突縁部１０は外周面よりも外方に突出している。上端側の突縁部１０は本体１と一体形成されており、いわば、本体１の上端部位が肉厚に形成されたものとなっている。尚、上端の突縁部１０を本体１に対して着脱自在としてもよい。また、図１に示すマグカップの組立完成時では、下方リング状部材５が本体１の下端の突出縁部を構成する。
【００１１】
取っ手２は水平部２０と縦長部２１とからなり、側面視略フ字状を有している。取っ手２の水平部２０の基端が突出縁部１０に連結されており、水平部２０の先端から下方に向って縦長部２１が延出している。縦長部２１の下方部位を本体１の外周面１に向って湾曲させることで、縦長部２１の下端は本体１の下端と近接している。
【００１２】
本体１の外周面の下端部位の周面には螺子１１が形成されており、一方、下方リング状部材５の内周面は本体の外周面の下端部位の周面の螺子１１に螺合する螺子５０が形成されている。下方リング状部材５は螺子５０、１１を介して本体１の下端部位に着脱自在に装着される。
【００１３】
本体１の外周面には、取っ手２の縦長部２１に対向して上下方向に延出する突条６が一体形成されている。突条６は断面視Ｔ形状を有しており、突条６と本体１の外周面との間に溝部が形成されており、溝部に装飾シート３の両側端部を受け入れて係止する。上方リング状部材４の内周面には突条６に対応する凹部４０が形成されており、上方リング状部材４を本体１の外周面に外嵌する時には、上方リング状部材４の凹部４０が凸条６を受け入れるようになっている。
【００１４】
取っ手２の縦長部２１の下端部位には係止部２２が形成されており、一方、下方リング状部材５の周壁には係止孔５０が穿設されている。下方リング状部材５を本体１の下端部位に螺着した時に、取っ手２の下端の係止部２２が下方リング状部材５の係止孔５１に臨むようになっている。取っ手２は全体として弾性を有しており、取っ手２の縦長部２１の下端の係止部２２を下方リング部材５の係止孔５１に強制嵌着可能となっている。こうすることで、取っ手２の下端の自由端を固定すると共に、下方リング状部材５の回転を規制し、下方リング状部材５と本体１との連結を強固なものとしている。
【００１５】
装飾シート３は可撓性を有する長方形状のシートであって、本体１の外周面に巻き付けるように装着される。装飾シート３は本体１の外周面の高さ及び周方向の展開寸法と略同じである。具体的には、装飾シート３の高さは、本体１の高さよりも若干小さく設計されていると共に、上方リング状部材４及び下方リング状部材５が装着された際に露出する本体１の外周面の高さよりは若干大きく設計されている。装飾シート３の幅は、本体１の外周面の周方向の寸法よりも若干小さく設計されている。装飾シート３は、一つの好ましい例ではいわゆる３Ｄシートである。具体例としては、装飾シート３の表面には、多数の小さな縞状突起が形成されている一方、装飾シート３の裏面には図柄の印刷が設けてあり、装飾シート３を見る角度によって図柄が変姿するようになっている。また、取っ手２の位置と突条６の位置を合わせたので、突条６を有するものでありながら、デザイン上も良好である。
【００１６】
このように構成されたマグカップにおける装飾シートの着脱について説明する。上述のとおり、マグカップは、本体１と、装飾体シート３と、上方リング状部材４と、下方リング状部材５とから組立て分解自在に構成されている。先ず、上方リング状部材４の凹部４０を本体１の突条６に位置合わせし、上方リング状部材４を本体１の下方から外嵌させて、本体１の外周面を滑らすようにして突縁部１０の下端縁に当接するまで上方に移動させる。
【００１７】
次いで、装飾体シート３をマグカップの本体１の外周面に巻き付け、装飾体シート３の両側端部を本体１の外周面の突条６の溝部に係止させる。上方リング状部材４と本体１の外周面との間には僅かな隙間が形成されており、装飾体シート３の上端を本体１の外周面と上方リング状部材４との隙間に挿入させる。こうして、装飾シート３の上端縁が上方リング状部材４によって固定される。
【００１８】
そして、下方リング状部材５を本体１の下端に螺着させる。下方リング状部材５を本体１の下端に装着した状態では、装飾シート３の下端縁は下方リング状部材５によって固定される。下方リング状部材５の内周面に形成した螺子５０は該内周面の上端側には形成されておらず、該内周面の上端側と本体１の外周面との隙間に装飾シート３の下端縁が挟持される。最後に、取っ手２の縦長部２１の下端の係止部２２を下方リング状部材５の係止孔５１に嵌着させることで、取っ手２の下端側を固定する。装飾シート３を取り外す時には、逆の工程を辿ればよい。
【００１９】
図３は他の実施形態に係るマグカップである。このものは図２のものに比べて、下方リング状部材５と本体１との着脱の構成が異なる。本体１の外周面の下端部位には、係合突起１１０が周設されている。一方、下方リング状部材５の内周面には、係合突起１１０を受け入れる係合溝５００が周設されている。下方リング状部材５を本体１の下端の外周面に押し当てて強制嵌入させることで、係合突起１１０と係合溝５００を介して、下方リング状部材５と本体１の下端とは係脱自在に係合する。
【００２０】
図４、図５はさらに他の実施形態を示す図であり、このものでは、装飾シートが筒型シート３０から構成されている。本体１の外周面には突条６はなく、また、上方リング状部材４の凹部４０もない。図５のものでは、下方リング状部材５は図３と同様に、係合突起１１０と係合溝５００を介して本体１に係合されているが、図２に示すように螺子を用いて両部材を着脱自在としてもよい。
【００２１】
図示のものでは、円筒形の本体１を示したが、本体の形状は円筒形に限定されない。例えば、本体は、下方あるいは上方に向って縮径状の形状（装飾シートは展開した状態で扇状となる）であってもよく、あるいは、四周壁を有するものであってもよい。
【００２２】
図示のものでは、下端の突出縁部（下方リング状部材５）を本体１に対して着脱自在としたものを示したが、上端の突出縁部を本体に対して着脱自在としてもよい。その場合、下端の突出縁部を本体と一体形成することも可能であり、外周面に外嵌する下方リング状部材を別途設けることもできる。また、上端の突出縁部と本体の外周面との間に溝部を形成して、該溝部に装飾シートの上端を挿入するようにすれば、上方リング状部材を設けなくても良い。また、好適な実施形態であるマグカップに基づいて本発明を説明したが、本発明はマグカップ等のコップに限定されるものではなく、例えば、ぺん立てにも適用可能である。
【図面の簡単な説明】
【図１】第１の実施形態に係るマグカップの斜視図である。
【図２】第１の実施形態に係るマグカップの組立分解斜視図である。
【図３】第２の実施形態に係るマグカップの組立分解斜視図である。
【図４】第３の実施形態に係るマグカップの斜視図である。
【図５】第３の実施形態に係るマグカップの組立分解斜視図である。
【符号の説明】
１  本体
２  取っ手
３  装飾シート
４  上方リング状部材
５  下方リング状部材
６  突条
【図１】
2004352279.tif 000003
【図２】
2004352279.tif 000004
【図３】
2004352279.tif 000005
【図４】
2004352279.tif 000006
【図５】
2004352279.tif 000007